(57)【要約】【課題】フラットハーネス折曲部の寸法精度、安定性および折曲作業性を高める。【解決手段】フラットハーネス３０の挿通方向Ａに沿って一面側に配置する底板部１４と、該底板部１４の幅方向の両側端より突設する側板部１５、１６とからなる本体１１と、該本体１１に取り付けられる第一蓋１２と第二蓋１３を備え、第一蓋１２の内面側に幅方向に延在する第一押圧部１９を突設すると共に、第二蓋１３は内面側に第二押圧部２０を突設してなる折曲保持材１０を用いて、フラットハーネス３０−１のハーネス挿通方向Ａに対して直交方向の折り返し支点３３側を第一押圧部１９で押圧固定すると共に、折り返したフラットハーネス３０−１ａを再度傾斜させて折り返した傾斜折り返し部３４を第二押圧部２０で押圧固定し、傾斜して折り返された折り返し片３０−１ｂを、底板部１４の幅方向一端側の側板部１６に設けている切欠部２２から導出させて保持固定する。【選択図】図４
2007259592.tif 000002
【特許請求の範囲】
【請求項１】
フラットハーネスの所要位置に取り付けて、フラットハーネスの折曲部を保持固定する折曲保持材であって、
フラットハーネスの挿通方向に沿って一面側に配置する底板部と、該底板部の幅方向の両側端より突設する側板部とからなる本体と、該本体に取り付けられる第一蓋と第二蓋を備え、第一蓋の内面側に幅方向に延在する第一押圧部を突設していると共に、第二蓋は内面側に第二押圧部を突設しており、
前記フラットハーネスのハーネス挿通方向に対して直交方向の折り返し支点側を前記第一蓋の第一押圧部で押圧固定すると共に、前記折り返したフラットハーネスを傾斜させて再度折り返した部分を前記第二蓋の第二押圧部で押圧固定し、該傾斜して折り返されたハーネスを前記底板の幅方向一端側の側板部に設けている切欠部から導出させて保持する構成としていることを特徴とするフラットハーネスの折曲保持材。
【請求項２】
前記第一蓋と第二蓋は、前記底板の幅方向他端側の側板部にヒンジ結合され、
前記第一蓋の第一押圧部は段状突出部とすると共に、前記第二蓋の第二押圧部は蓋の一部を切り起こしてバネ片としたものからなり、前記第一蓋、第二蓋と前記底板部の一端側に突設する側板部との間に蓋閉鎖時に結合するロック部と被ロック部を設け、かつ、
前記第二蓋と対応する前記底板部の先端からテープ巻き用舌片あるいはクリップ取付部を設けている請求項１に記載のフラットハーネスの折曲保持材。
【請求項３】
請求項１または請求項２に記載の折曲保持材を用いて、フラットハーネスの折り曲げ部を固定保持する方法であって、
前記折曲保持材の底板部をフラットハーネスの一面側に配置し、該底板部の長さ方向の一端側にフラットハーネスをテープ巻きあるいはクリップで固定し、
ついで、前記底板部の他端側で、前記フラットハーネスを挿通方向と直交方向に折り返し、この状態で前記第一蓋を閉じて前記第一押圧部で折り返し支点近傍を押圧固定し、
ついで、折り返し片を再度所要角度傾斜させて折り返して、フラットハーネスの幅方向の外方へと折曲し、
その後、前記第二蓋を閉じて前記第二押圧部で傾斜折り返し部を弾圧保持しているフラットハーネスの折曲保持方法。
【発明の詳細な説明】
【技術分野】
【０００１】
本発明は、フラットハーネスの折曲保持材およびフラットハーネスの折曲保持方法に関し、特に、フラットハーネス折曲部の形成位置精度と安定性を高めるものである。
【背景技術】
【０００２】
近年、自動車においては高機能化、高性能化に伴い、電装品が増加し、多数のワイヤハーネスを配索する必要がある。一方で、ワイヤハーネス配索スペースの省スペース化への要請も強い。そこで、ワイヤハーネスの嵩張りを抑え、少ないスペースに多くのハーネスを配索することが求められ、多数本の導電体の表裏両面を絶縁樹脂層で被覆してなる、薄く、かつフレキシブルなフラットハーネスが好適に用いられる。
このようなフラットハーネスを車両において、配索経路に沿って配索する場合、多数箇所で折り曲げる必要がある。其の際、フラットハーネスを所望角度で折り返し、該折り返し箇所をテープ止めする、あるいはシート状のもので覆うなどして、所望方向への折り曲げている。
【０００３】
しかしながら、この折曲部の位置および形態は、フラットハーネスの形態復元性により、前記テープ止めやシート状のもので覆うだけでは非常に不安定である。よって、例えば、特開２００２−１０１５３６号（特許文献１）において、図７に示すような保持具１を用いて、フラットハーネスを安定保持することを提案されている
【０００４】
前記保持具１は、平面視略Ｌ型で樋形状の保持具本体２と、該保持具本体２にヒンジ４を介して開閉可能に連結されている蓋体３とを備えてなる。前記保持具本体２は、略Ｌ字型の底板５の内外両側縁より内外両側壁６、７を立設すると共に、Ｌ字方向の一端をハーネス導入側開口Ａとし、他端をハーネス導出側開口Ｂとしている。前記外側壁７は、ハーネス導入方向と平行な導入側外壁７ａと、ハーネス導出方向と平行な導出側外壁７ｂと、これら両壁７ａ、７ｂの間に形成されてハーネス導入方向および導出方向に対して４５度の角度で傾斜連結された中間外壁７ｃとからなる。導入側外壁７ａと導出側外壁７ｂの内面には、前記中間外壁７ｃに近接かつ平行に形成されると共に、底板５に平行に離設される折り返し機８の両端部が保持されている。また、ハーネス導入側開口Ａ近傍の内外両側壁６、７より、一対のガイド片９を内側に相対向させている。
【０００５】
前記構成の保持具１を用いると、フラットハーネスＦを前記ハーネス導入側開口Ａから底板５とガイド片９との間に挿入し、該ハーネスＦの先端を前記折り返し機８と底板５の間に潜らせ、さらに前記中間外壁７ｃに突き当てて立ち上げ、この状態で前記蓋体３を閉めて保持具本体２とロック閉鎖することにより、ハーネスＦは蓋体３に押されて導出側開口Ｂに向かって折り返され、該導出側開口Ｂから導出させることができる。
従って、フラットハーネスＦを容易に折り返すことができると共に、折り返し後の表裏が同一面となるように薄く平らな折曲形態を保持することができ、該折曲部を取付面に対して安定保持させることが可能とされている。
【０００６】
しかしながら、前記保持具１は、図７（Ｂ）にも示すように、前記折り返し機８と底板５、中間外壁７ｃ、蓋体３との間に、フラットハーネスＦの厚み以上の空隙が設けられている。この空隙により、折り返し位置にブレが生じやすく、ハーネス長さの寸法精度が低下すると共に、保持具１内でハーネスＦが振動やすく、ガタ音を生じる点にも問題がある。一方、この空隙を狭めすぎると、ハーネス挿通作業が困難化してしまう。
また、前記保持具１では、フラットハーネスを一定の角度でしか折り返すことができず、フラットハーネスの多様な配索方向や分岐角度に応じて異なる形状の保持具を多数作製する必要がある。従って、汎用性が乏しくコスト高となる問題もある。
【０００７】
【特許文献１】特開２００２−１０１５３６号公報
【発明の開示】
【発明が解決しようとする課題】
【０００８】
本発明は前記問題に鑑みてなされたもので、フラットハーネスを正確な位置で容易に折り返すことができると共に、折曲部の安定性も高く、かつ、折り返し配索方向の多様性にも対応できるフラットハーネスの折曲保持材およびフラットハーネスの折曲保持方法の提供を課題としている。
【課題を解決するための手段】
【０００９】
前記課題を解決するために、本発明は、
フラットハーネスの所要位置に取り付けて、フラットハーネスの折曲部を保持固定する折曲保持材であって、
フラットハーネスの挿通方向に沿って一面側に配置する底板部と、該底板部の幅方向の両側端より突設する側板部とからなる本体と、該本体に取り付けられる第一蓋と第二蓋を備え、第一蓋の内面側に幅方向に延在する第一押圧部を突設していると共に、第二蓋は内面側に第二押圧部を突設しており、
前記フラットハーネスのハーネス挿通方向に対して直交方向の折り返し支点側を前記第一蓋の第一押圧部で押圧固定すると共に、前記折り返したフラットハーネスを再度傾斜させて折り返した部分を前記第二蓋の第二押圧部で押圧固定し、傾斜して折り返されたハーネスを、前記底板の幅方向一端側の側板部に設けている切欠部から導出させて保持することを特徴とするフラットハーネスの折曲保持材を提供している。
【００１０】
前記構成の折曲保持材は、フラットハーネスを、ハーネス挿通方向に対して直交方向の折り返し（以下「直交折り返し」と略す）と傾斜方向の折り返し（以下「傾斜折り返し」と略す）の２段階に折り返し、その直交折り返し支点側と傾斜折り返し部の２箇所を、前記第一押圧部と第二押圧部とでそれぞれ押圧固定するため、フラットハーネスの形態復元性によりハーネスの折り返し部が緩んだり位置ズレすることを確実に防止でき、ハーネス長さの寸法精度を高め、組み付け精度も高めることができる。また、このようにハーネス折曲部を押圧固定することにより、折曲部の安定性が向上すると共に、振動を受けてもガタ音の発生を抑制できる。
【００１１】
さらに、折曲部作製工程において、まず、前記直交折り返し支点側を第一押圧部で押圧固定した後に、傾斜折り返しを行うため、作業性がよく、所望の配索方向へ容易かつ正確にフラットハーネスを配索設定できる。
また、前記傾斜折り返しされたハーネスは、前記保持材の側板部に設けられている切欠部から外方へ導出されるため、該切欠部の幅をハーネス幅よりも広く設定しておくことにより、傾斜角度を調整して多様な方向へハーネスを導出させることが可能となる。従って、保持材の汎用性が高まり、コスト削減を図ることができると共に、配索設定の変更等に対しても一つの保持材で柔軟に対応することができる。
【００１２】
なお、前記側板部のうち、ハーネス導出側の反対側の側板部には、ハーネスの直交折り返し位置を示す目印を設けておくことが好ましい。これにより、設定どおりの正確な位置でハーネスを折り返すことができると共に、この折り返し支点を確実に前記第一押圧部で押圧固定することができる、
【００１３】
前記第一蓋と第二蓋は、前記底板の幅方向他端側の側板部にヒンジ結合され、
前記第一蓋の第一押圧部は段状突出部とすると共に、前記第二蓋の第二押圧部は蓋の一部を切り起こしてバネ片としたものからなり、前記第一蓋、第二蓋と前記底板部の一端側に突設する側板部との間に蓋閉鎖時に結合するロック部と被ロック部を設け、かつ、
前記第二蓋と対応する前記底板部の先端からテープ巻き用舌片あるいはクリップ取付部を設けている。
【００１４】
なお、前記第一蓋と第二蓋は、前記本体から分離可能な別体として形成し、該第一蓋および第二蓋の幅方向両側に設けた被ロック部に、本体の前記両側板部に設けたロック部をロック係止することによって、本体に第一蓋および第二蓋を取り付けて上面開口部を閉鎖できる構造としてもよい。
【００１５】
さらに、本発明は、前記折曲保持材を用いて、フラットハーネスの折り曲げ部を固定保持する方法であって、
前記折曲保持材の底板部をフラットハーネスの一面側に配置し、該底板部の長さ方向の一端側にフラットハーネスをテープ巻きあるいはクリップで固定し、
ついで、前記底板部の他端側で、前記フラットハーネスを挿通方向と直交方向に折り返し、この状態で前記第一蓋を閉じて前記第一押圧部で折り返し支点近傍を押圧固定し、
ついで、折り返し片を再度所要角度傾斜させて折り返して、フラットハーネスの幅方向の外方へと折曲し、
その後、前記第二蓋を閉じて前記第二押圧部で傾斜折り返し部を弾圧保持しているフラットハーネスの折曲保持方法を提供している。
【発明の効果】
【００１６】
上述したように、本発明によれば、フラットハーネスを直交折り返しと傾斜折り返しの２段階で折り返し、その２箇所の折曲部をそれぞれ押圧固定するため、フラットハーネスの形態復元性により折曲部が緩んで浮き上がったり、位置ズレすることを防止でき、ハーネス長さの寸法精度および組み付け精度を高めることができる。また、折曲部の安定性も向上するうえ、浮き上がった折曲部によるガタ音発生も防止できる。
【００１７】
さらに、折曲部作製工程において、直交折り返し支点をまず第一押圧部で押圧固定したうえで、傾斜折り返し作業を行うため、容易かつ正確に折り返し作業をおこなうことができ、作業性が向上する。
【００１８】
さらにまた、傾斜折り返しの角度を調整することにより、一つの保持材で多様な方向にハーネスを折り返し配索することができる。
【発明を実施するための最良の形態】
【００１９】
以下、本発明の実施形態を図面を参照して説明する。
図１乃至図５は本発明の第１実施形態に係るフラットハーネスの折曲保持材１０と、該保持材１０を用いたフラットハーネスの折曲保持方法を示す。
フラットハーネス３０（３０−１、３０−２）は、図２に示すように、導体３１の表裏両面を絶縁性樹脂３２でラミネートした長尺帯状でフレキシブルなハーネスである。
【００２０】
前記折曲保持材１０は、図１に示すように、内部にフラットハーネス３０を挿通する略樋形状の本体１１と、該本体１１の上面開口を閉鎖する第一蓋１２と第二蓋１３とを、樹脂で一体成形してなる。
前記本体１１は、底板部１４と、該底板部１４の幅方向の両端側より突設した側板部１５、１６からなり、一端側の側板部１５の上端には、ハーネス挿通方向Ａの先端側に薄肉ヒンジ１７を介して第一蓋１２を、ハーネス挿通方向Ａの後端側に薄肉ヒンジ１８を介して第二蓋１３を、それぞれ独自に開閉可能に連結している。
【００２１】
前記第一蓋１２の内面側には、図１に示すように、挿通するフラットハーネス３０の折り返し支点３３に対応する位置に、幅方向に延在する段状突出部からなる第一押圧部１９を突設している。前記第二蓋１３には、挿通するフラットハーネス３０の傾斜折り返し部３４に対応する位置に、該第二蓋１３の一部を内面側に切り起こして形成したバネ片からなる第二押圧部２０を突設している。
前記側板部１５の内面側には、ハーネス３０−１の直交折り返し位置に目印２１を付している。
【００２２】
他端側の側板部１６は、図１に示すように、ハーネス挿通方向Ａの中間部に設けられた切欠部２２を挟んで不連続な２枚の側板部１６ａ、１６ｂよりなる。詳しくは、一方の側板部１６ａは、前記第一蓋１２の開閉端１２ａに対応する位置に設けられ、他方の側板部１６ｂは、第二蓋１３の開閉端１３ａに対応する位置のうちハーネス挿通方向Ａの後端側一部に設けられ、前記切欠部２２の幅Ｗ１（ハーネス挿通方向Ａの長さ）は、フラットハーネス３０の幅Ｗ２よりも広幅となるように設定している。
【００２３】
前記側板部１６ａ、１６ｂの外面には、ロック爪２３ａ、２３ｂを突設し、前記第一蓋１２の開閉端１２ａと第二蓋１３の開閉端１３ａには、前記ロック爪２３ａ、２３ｂを係止できる被ロック部２４ａ、２４ｂを突設している。
前記底板部１４には、ハーネス挿通方向Ａの両端よりテープ巻き用舌片２５、２６を突設している。
【００２４】
前記構成の折曲保持材１０を用いてフラットハーネス３０の折曲部を作製し、該折曲部を固定保持して分岐配線する方法を、図２〜図４を用いて説明する。
まず、図２に示すように、２本のフラットハーネス３０−１、３０−２を、折り曲げ配線する（分岐する）ハーネス３０−１を上にして重ね、重ねたフラットハーネス３０−１、３０−２の下面側に前記折曲保持材１０の底板部１４を配置して、本体１１内にフラットハーネス３０−１、３０−２を挿通する。この状態で、第二蓋１３側のテープ巻き舌片２５に２本のフラットハーネス３０−１、３０−２をテープ２７で巻き付け固定する。
【００２５】
次いで、図３（Ａ）（Ｂ）に示すように、側板部１５の目印２１の位置に沿ってフラットハーネス３０−１をハーネス挿通方向と直交方向に折り返し、この状態で前記第一蓋１２を閉じ、ロック爪２３ａを被ロック部２４ａに係止してロック閉鎖する。このとき、図３（Ｃ）にも示すように、直交折り返し支点３３側は、第一蓋１２の第一押圧部１９により上から押圧固定される。
【００２６】
次いで、図４（Ａ）（Ｂ）に示すように、前記直交方折り返しされた折り返し片３０−１ａを、ハーネス挿通方向Ａに対して略４５度に傾斜させて折り返し、フラットハーネス３０−１の幅方向の外方へと折曲させ、この傾斜折り返し片３０−１ｂを前記切欠部２２から外部へと導出してＴ字状に分岐する。この状態で前記第二蓋１３を閉じて、ロック爪２３ｂを被ロック部２４ｂに係止してロック閉鎖する。このとき、図４（Ｃ）にも示すように傾斜折り返し部３４は、第二蓋１３の第二押圧部２０により上から弾圧保持される。  最後に、下側のフラットハーネス３０−２を、第一蓋側のテープ巻き舌片２６にテープ２８で巻き付け固定する。
【００２７】
前記構成の折曲保持材１０を用いてフラットハーネスの折曲部を固定保持することにより、フラットハーネス３０−１を直交折り返しと傾斜折り返しの２段階で折り返し、その直交折り返し支点３３と傾斜折り返し部３４の２箇所をそれぞれ第一押圧部１９と第二押圧部２０で押圧固定するため、これら折曲部の安定性が高まり、該折曲部が浮き上がって緩んだり、位置ズレすることを確実に防止できる。従って、ハーネス長さの寸法精度を高めることができ、組み付け精度が向上すると共に、ガタ音の発生も防止できる。
【００２８】
また、前記折曲部を作製するとき、まず、側板部１５の目印２１に位置合わせをしてハーネス挿通方向Ａに対して直交方向にフラットハーネス３０−１を折り返し、その直交折り返し支点３３側を第一押圧部１９で押圧固定した状態で、傾斜折り返しを行うため、正確で確実な折り返し作業を容易に行うことができる。
【００２９】
さらに、切欠部２２の幅Ｗ１をハーネス３０の幅Ｗ２より広く設定しているため、図５に示すように、傾斜折り返しの角度調節により、フラットハーネス３０−１の導出方向も多様に設定することができる。
【００３０】
図６は、本発明の第二実施形態を示す。本実施形態では、フラットハーネスの分岐部ではなく、１本のフラットハーネス３０−１の配索方向変更箇所を折曲保持材１０’で固定保持している。
【００３１】
折曲保持材１０’は、底板１４の第二蓋１３側端部、すなわちハーネス挿通方向Ａにおける後端からのみテープ巻き用舌片２５を突設し、該テープ巻き用舌片２５にフラットハーネス３０−１をテープ２９で巻きつけ固定している。その他の構成と、フラットハーネス３０−１を折り返して前記折曲保持材１０’で固定保持する方法は、前記第一実施形態と同一であるため、同一符号を付して説明を省略する。
【図面の簡単な説明】
【００３２】
【図１】本発明の第一実施形態に係る折曲保持材の斜視図である。
【図２】折曲保持材にフラットハーネスを配置した状態を示す斜視図である。
【図３】フラットハーネスを直交方向に折り返して折曲保持材の第一蓋を閉めた状態を示し、（Ａ）は斜視図、（Ｂ）は本体内の透視平面図、（Ｃ）は（Ｂ）のIII−III線断面説明図である。
【図４】フラットハーネスを傾斜方向に折り返して折曲保持材で保持固定した状態を示し、（Ａ）は斜視図、（Ｂ）は本体内の透視平面図、（Ｃ）は（Ｂ）のＩＶ−ＩＶ線断面説明図である。
【図５】フラットハーネスを異なる傾斜角度で折り返した状態を示す本体内の透視平面図である。
【図６】本発明の第二実施形態に係る折曲保持材でフラットハーネスを保持固定した状態を示す斜視図である。
【図７】従来例の図である。
【符号の説明】
【００３３】
１０、１０’  折曲保持材
１１  本体  
１２  第一蓋
１３  第二蓋
１４  底板部
１５、１６  側板部
１７、１８  薄肉ヒンジ
１９  第一押圧部
２０  第二押圧部
２２  切欠部
２５、２６  テープ巻き用舌片
３０（３０−１、３０−２）  フラットハーネス
３３  直交折り返し支点
３４  傾斜折り返し部
Ａ  ハーネス挿通方向
【図１】
2007259592.tif 000003
【図２】
2007259592.tif 000004
【図３】
2007259592.tif 000005
【図４】
2007259592.tif 000006
【図５】
2007259592.tif 000007
【図６】
2007259592.tif 000008
【図７】
2007259592.tif 000009